(57)【要約】【課題】購買者が自ら楽しみながら自分で鉛筆を手作りできる、手作り鉛筆用キットを提供する。【解決手段】軸体連接体１は、複数本の軸体半部２を連結して構成される。軸体半部は鉛筆の軸を立てに半分に割った状態の形をしており、平らな面３の幅方向中央部に横断面半円状の溝５が形成されている。隣合う軸体半部を連結する部分は薄い薄板部６で形成され、折り曲げることに簡単に切断できる。薄板部の幅は小さく、分離したときにほとんどバリが生じない。一方の軸連接体の溝に芯を収受し、他方の軸体連接体の平らな面と溝に接着剤を塗付し、芯を収受した方の上に溝の位置を合わせて被せて押し付けることにより完成する。【選択図】  図１
0003107463.tif 000002
【実用新案登録請求の範囲】
【請求項１】
所定の長さを備えた細長い軸状の形をし、軸方向全長に渡って延びる平らな面と、該平らな面の幅方向略中央位置に、軸方向の一端から軸方向所定の位置まで形成された横断面略半円状の溝とを備えた第1の軸体半部を複数個同じ向きに並行に並べ、前記平らな面の幅方向端部に設けられた連接部において互いに隣合う前記第1の軸体半部を連接して形成した第1軸体連接体と、前記第1の軸体半部と略同じ長さの細長い軸状の形をし、軸方向全長に渡って延びる前記第1の軸体半部の平らな面とほぼ同じ幅を備えた平らな面と、該平らな面の幅方向略中央位置に軸方向の一端から軸方向所定の位置まで形成された、前記第1の軸体半部の前記溝と略同じ半径の横断面略半円状の溝とを備えた第２の軸体半部を複数個同じ向きに並行に並べ、前記平らな面の幅方向端部に設けられた連接部において互いに隣合う前記第２の軸体半部を連接して形成した第２軸体連接体と、前記第1軸体半部と前記第2軸体半部とが前記平らな面で互いに合わせられた時に形成される断面略円形の芯収納孔に収納可能な芯とを備えていることを特徴とする、手作り鉛筆用キット。
【請求項２】
請求項１記載の手作り鉛筆用キットにおいて、前記第1及び第2軸体連接体の前記連接部は、隣合う前記軸体半部の前記平らな面の幅方向端部を互いに連結する、前記隣合う軸体半部と一体に形成された薄板部からなることを特徴とする、手作り鉛筆用キット。
【請求項３】
請求項2記載の手作り鉛筆用キットにおいて、前記薄板部の厚みは０．３ｍｍ以下であることを特徴とする、手作り鉛筆用キット。
【請求項４】
請求項1記載の手作り鉛筆用キットにおいて、前記第1及び第2軸体連接体の前記連接部は、隣合う前記軸体半部の前記平らな面の幅方向端部からなり、前記隣合う軸体半部は、前記平らな面に貼付される接着テープ或いは接着フィルムによって連結されていることを特徴とする、手作り鉛筆用キット。
【請求項５】
請求項1記載の手作り鉛筆用キットにおいて、前記第1軸体連接体と第2軸体連接体とのいずれか一方の軸体半部は、前記溝に前記芯を収受し、該芯を覆う形で粘着テープ或いは粘着フィルムを前記平らな面に張ることにより、互いに連結されていることを特徴とする、手作り鉛筆用キット。
【請求項６】
請求項1乃至５のいずれか１に記載の手作り鉛筆用キットにおいて、前記第１と第2の軸体半部とは同一の形状をしていることを特徴とする、手作り鉛筆用キット。
【請求項７】
請求項１乃至６のいずれか１に記載の手作り鉛筆用キットにおいて、前記第1と第2の軸体半部の前記溝は軸方向全長に渡って形成されていることを特徴とする、手作り鉛筆用キット。
【請求項８】
請求項１乃至７のいずれか１に記載の手作り鉛筆用キットにおいて、前記芯は、複数の色の芯の組合わせからなることを特徴とする、手作り鉛筆用キット。
【考案の詳細な説明】
【技術分野】
【０００１】
本考案は手作り鉛筆用キットに関する。より詳細には、購買者が自分で組立てることにより鉛筆を作ることができる部材を含んでなる手作り鉛筆用キットに関する。
【背景技術】
【０００２】
近年各種の品物を完成品としてではなく、その完成品を作るために必要な部品をセットで購買者に提供し、購買者が自らその品物を手作りする楽しみを与えるキット商品が多く販売されている。鉛筆は従来完成品として販売されているのが通常であるが、自分一人だけの鉛筆があればそれを使って例えば学習することも自然と楽しくなる。
【考案の開示】
【考案が解決しようとする課題】
【０００３】
本願考案は上記従来の問題点に鑑みなされたものであり、購買者が自ら楽しみながら自分で鉛筆を手作りできる、手作り鉛筆用キットを提供することをその課題とする。
【課題を解決するための手段】
【０００４】
上記課題を解決するために本考案は、所定の長さを備えた細長い軸状の形をし、軸方向全長に渡って延びる平らな面と、該平らな面の幅方向略中央位置に、軸方向の一端から軸方向所定の位置まで形成された横断面略半円状の溝とを備えた第1の軸体半部を複数個同じ向きに並行に並べ、前記平らな面の幅方向端部に設けられた連接部において互いに隣合う前記第1の軸体半部を連接して形成した第1軸体連接体と、前記第1の軸体半部と略同じ長さの細長い軸状の形をし、軸方向全長に渡って延びる前記第1の軸体半部の平らな面とほぼ同じ幅を備えた平らな面と、該平らな面の幅方向略中央位置に軸方向の一端から軸方向所定の位置まで形成された、前記第1の軸体半部の前記溝と略同じ半径の横断面略半円状の溝とを備えた第２の軸体半部を複数個同じ向きに並行に並べ、前記平らな面の幅方向端部に設けられた連接部において互いに隣合う前記第２の軸体半部を連接して形成した第２軸体連接体と、前記第1軸体半部と前記第2軸体半部とが前記平らな面で互いに合わせられた時に形成される断面略円形の芯収納孔に収納可能な芯とを備えていることを特徴とする、手作り鉛筆用キットを提供する。
【考案の効果】
【０００５】
本願考案は、上記の構成としたので、購入者が自分で鉛筆を手作りすることができ、しかも複数本を同時に作ることができる。
【考案を実施するための最良の形態】
【０００６】
以下図面を参照しながら本願考案の好適な実施の形態について説明する。図1は本考案の具体的実施の形態による手作り鉛筆用キットを構成する第1軸体連接体１を示し、（イ）は正面図、（ロ）は左側面図、（ハ）は平面図、（ニ）は底面図である。符号2はこの第1軸体連接体１を構成する第1の軸体半部であり、この実施の形態では6本の軸体半部２で第1軸体連接体１を構成している。
【０００７】
第1の軸体半部２は、本実施の形態では横断面略半円の形をしており、その平らな面３の幅方向略中央には、外周面４の半円の中心と同じ点を中心とする短い半径の横断面略半円状の溝５が軸方向全長に渡って形成されている。そして隣合う第1の軸体半部２は、図２の部分拡大図に示されるように、これら隣合う軸体半部２と一体に形成され、平らな面３の幅方向端部の間で延びている薄板部６により連結されている。この薄板部６は図2において誇張して示してあるが、図中符号Ｂで示される厚みは非常に薄く、０．３ｍｍ以下になっており、手で折り曲げることにより簡単に切断することができる。またその幅Lも図示の関係で非常に誇張して示してあるが、その値はほとんどゼロに近く、切断した場合にほとんどバリが生じないようになっている。
【０００８】
図3は、鉛筆の芯１１を示す正面図であり、その長さは第1の軸体半部２と同じ長さであり、その半径は、第1の軸体半部２の溝５の半径と略同じである。なお、芯１１は一色のみでもよいが、本実施の形態では複数の色の芯6本で一組になっている。
【０００９】
図4は鉛筆の作り方を示す図で、本実施の形態では第2軸体連接体２１として、第1軸体連接体１と同じ物を使用している。鉛筆を作るには先ず一方の、例えば第１軸体縁接体１の平らな面３と溝５に接着剤を塗り、他方第2軸体連接体２１の溝５の中に芯１１をそれぞれ配置する。そして、第2軸体連接体２１の上に第1軸体連接体１を平らな面３が向い合うように、そして溝５の位置を合わせて重ね、押付ける。そして接着剤の乾燥を待って一本づつに分離する。その際、手で折り曲げることにより簡単に分離できるが、長手方向端部において薄板部６に鋏などで切れ目を入れるとより簡単に分離できる。なお、上記では溝５を軸方向全長に渡って形成したが、一端から所定の範囲に止めてもよい。この場合、出来上がった鉛筆の他端側は閉じられることとなる。また、全長に溝を設けた場合、同じ溝に色の異なる芯を例えば半分づつの長さにして配置すると2色鉛筆を作れる。完成した鉛筆の軸の表面に自分の好きなシールを貼るなどしてオリジナルなものとすることも出来る。
【００１０】
図5は第2の実施の形態を示す軸体連接体３１を示す部分側面図である。この実施の形態では、第1の実施の形態での薄板部６を設けず、平らな面３に取外し可能な粘着テープ３２を貼り付けることにより隣合う軸体半部2を繋いでいる。この例では、例えばキットが6本セットであっても自分の好きな数だけの製作をすることができる。なお、接着剤を塗布する際には粘着テープ３２を剥がしてから塗布するが、薄い粘着テープを使用する場合にはそのまま接着剤を塗布してもよい。この場合に、一番端の鉛筆が歪まないように、端の軸体の溝の外側の面にも同じ厚みの粘着テープを貼っておくとよい。
【００１１】
なお、図示することは省略するが、第1と第2の軸対連接体の一方は、各軸体半部の溝にそれぞれ芯を収受した状態でこの芯を覆う形で粘着テープ或いはフィルムを平らの面に張付けることにより各軸体半部を互いに連結するようにしてもよい。
【図面の簡単な説明】
【００１２】
【図１】本発明の第1の実施の形態に係る軸体連接体を示す図である。
【図２】軸体連接体の部分拡大図である。
【図３】芯を示す正面図である。
【図４】鉛筆の作り方を示す図である。
【図５】第２の実施の形態に係る軸体連接体を示す部分側面図である。
【符号の説明】
【００１３】
１：軸体連接体    ２：軸体半部    ３：平らな面    ４：外周面
５：溝    ６：薄板部
【図１】
0003107463.tif 000003
【図２】
0003107463.tif 000004
【図３】
0003107463.tif 000005
【図４】
0003107463.tif 000006
【図５】
0003107463.tif 000007